【手続補正書】
【提出日】平成17年12月22日(2005.12.22)
【手続補正１】
【補正対象書類名】特許請求の範囲
【補正対象項目名】請求項１
【補正方法】変更
【補正の内容】
【請求項１】
複数の記録素子を一定間隔で配列された記録素子列を具える記録ヘッドを、前記記録素子列における記録素子の配列方向と異なる方向に走査させ、該走査の際に複数種類の色材を前記複数の記録素子から記録媒体に対し付与することによって記録を行う記録装置であって、
前記記録ヘッドは、前記複数種類の色材それぞれに対応した記録素子列が前記走査方向に複数配列され、前記対応する色材の種類に応じて記録素子列数が異なるとともに、同種類の色材で複数の記録素子列が配置され、
前記同種類の色材に対して配置された複数の記録素子列における、記録素子間の間隔が、色材の種類に応じて異なるように、前記複数種類の色材それぞれに対応した複数の記録素子列は配置されることを特徴とする記録装置。
【手続補正２】
【補正対象書類名】特許請求の範囲
【補正対象項目名】請求項８
【補正方法】変更
【補正の内容】
【請求項８】
複数の記録素子を一定間隔で配列された記録素子列を具える記録ヘッドを、前記記録素子列における記録素子の配列方向と異なる方向に走査させ、該走査の際に複数種類の色材を前記複数の記録素子から記録媒体に対し付与することによって記録を行う記録装置であって、
前記記録ヘッドは、前記複数種類の色材それぞれに対応した記録素子列が前記走査方向に複数配列され、前記対応する色材の種類に応じて記録素子列数が異なるとともに、同種類の色材で複数の記録素子列が配置され、
前記同種類の色材に対して配置された複数の記録素子列における、記録素子間の間隔が、色材の種類に応じて異なるように、前記複数種類の色材それぞれに対応した複数の記録素子列は配置された記録装置を用いた記録方法であって、
第１記録モードと、該第１記録モードよりも高解像度記録を行う第２記録モードとのモード切替を行うモード切替工程と、
前記モード切替工程によって切り替えられたモードに応じて、前記複数の記録素子の駆動を制御する記録素子駆動制御工程とを具え、
該記録素子駆動制御工程では、前記第１記録モードにおいては、記録素子列数が他の色材に比べて多い色材の前記複数の記録素子列のうち、特定の記録素子列のみを使用して記録を行うとともに、前記第２記録モードにおいては、記録素子列数が他の色材に比べて多い色材の前記複数の記録素子列の全てを使用して記録を行うことを特徴とする記録方法。
【手続補正３】
【補正対象書類名】特許請求の範囲
【補正対象項目名】請求項１２
【補正方法】変更
【補正の内容】
【請求項１２】
複数の記録素子を一定間隔で配列された記録素子列を具える記録ヘッドを、前記記録素子列における記録素子の配列方向と異なる方向に走査させ、該走査の際に複数種類の色材を前記複数の記録素子から記録媒体に対し付与することによって記録を行う記録装置であって、
前記記録ヘッドは、前記複数種類の色材それぞれに対応した記録素子列が前記走査方向に複数配列され、前記対応する色材の種類に応じて記録素子列数が異なるとともに、同種類の色材で複数の記録素子列が配置され、
前記同種類の色材に対して配置された複数の記録素子列における、記録素子間の間隔が、色材の種類に応じて異なるように、前記複数種類の色材それぞれに対応した複数の記録素子列は配置された記録装置を用いた記録方法であって、
第１記録モードと、該第１記録モードよりも高解像度記録を行う第２記録モードとのモード切替を行うモード切替工程と、
前記モード切替工程によって切り替えられたモードに応じて、前記複数の記録素子の駆動を制御する記録素子駆動制御工程とを具え、
該記録素子駆動制御工程では、前記第１記録モードにおいては、記録素子列数が他の色材に比べて多い色材の前記複数の記録素子列のうち、特定の記録素子列のみを使用して記録を行うとともに、前記第2記録モードにおいては、記録素子列数が他の色材に比べて多い色材の前記複数の記録素子列のうち、第１記録モードで使用しなかった記録素子列のみを使用して記録を行うことを特徴とする記録方法。
【手続補正４】
【補正対象書類名】明細書
【補正対象項目名】００１４
【補正方法】変更
【補正の内容】
【００１４】
本発明の第１の形態は、複数の記録素子を一定間隔で配列された記録素子列を具える記録ヘッドを、前記記録素子列における記録素子の配列方向と異なる方向に走査させ、該走査の際に複数種類の色材を前記複数の記録素子から記録媒体に対し付与することによって記録を行う記録装置であって、前記記録ヘッドは、前記複数種類の色材それぞれに対応した記録素子列が前記走査方向に複数配列され、前記対応する色材の種類に応じて記録素子列数が異なるとともに、同種類の色材で複数の記録素子列が配置され、前記同種類の色材に対して配置された複数の記録素子列における、記録素子間の間隔が、色材の種類に応じて異なるように、前記複数種類の色材それぞれに対応した複数の記録素子列は配置されることを特徴とする。
【手続補正５】
【補正対象書類名】明細書
【補正対象項目名】００１５
【補正方法】変更
【補正の内容】
【００１５】
また、本発明の第２の形態は、複数の記録素子を一定間隔で配列された記録素子列を具える記録ヘッドを、前記記録素子列における記録素子の配列方向と異なる方向に走査させ、該走査の際に複数種類の色材を前記複数の記録素子から記録媒体に対し付与することによって記録を行う記録装置であって、前記記録ヘッドは、前記複数種類の色材それぞれに対応した記録素子列が前記走査方向に複数配列され、前記対応する色材の種類に応じて記録素子列数が異なるとともに、同種類の色材で複数の記録素子列が配置され、前記同種類の色材に対して配置された複数の記録素子列における、記録素子間の間隔が、色材の種類に応じて異なるように、前記複数種類の色材それぞれに対応した複数の記録素子列は配置された記録装置を用いた記録方法であって、第１記録モードと、該第１記録モードよりも高解像度記録を行う第２記録モードとのモード切替を行うモード切替工程と、前記モード切替工程によって切り替えられたモードに応じて、前記複数の記録素子の駆動を制御する記録素子駆動制御工程とを具え、該記録素子駆動制御工程では、前記第１記録モードにおいては、記録素子列数が他の色材に比べて多い色材の前記複数の記録素子列のうち、特定の記録素子列のみを使用して記録を行うとともに、前記第2記録モードにおいては、記録素子列数が他の色材に比べて多い色材の前記複数の記録素子列の全てを使用して記録を行うことを特徴とする。
また、本発明の第３の形態は、複数の記録素子を一定間隔で配列された記録素子列を具える記録ヘッドを、前記記録素子列における記録素子の配列方向と異なる方向に走査させ、該走査の際に複数種類の色材を前記複数の記録素子から記録媒体に対し付与することによって記録を行う記録装置であって、前記記録ヘッドは、前記複数種類の色材それぞれに対応した記録素子列が前記走査方向に複数配列され、前記対応する色材の種類に応じて記録素子列数が異なるとともに、同種類の色材で複数の記録素子列が配置され、前記同種類の色材に対して配置された複数の記録素子列における、記録素子間の間隔が、色材の種類に応じて異なるように、前記複数種類の色材それぞれに対応した複数の記録素子列は配置された記録装置を用いた記録方法であって、第１記録モードと、該第１記録モードよりも高解像度記録を行う第２記録モードとのモード切替を行うモード切替工程と、前記モード切替工程によって切り替えられたモードに応じて、前記複数の記録素子の駆動を制御する記録素子駆動制御工程とを具え、該記録素子駆動制御工程では、前記第１記録モードにおいては、記録素子列数が他の色材に比べて多い色材の前記複数の記録素子列のうち、特定の記録素子列のみを使用して記録を行うとともに、前記第2記録モードにおいては、記録素子列数が他の色材に比べて多い色材の前記複数の記録素子列のうち、第１記録モードで使用しなかった記録素子列のみを使用して記録を行うことを特徴とする。